【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
ハード・コピーの複製に適した文書を作成する文書処理方法であって、
（ａ）少なくとも１つのソースから情報を受け取り、前記情報がその情報の構成要素間の対応する参照経路を確立する複数の参照リンクを含むステップと、
（ｂ）前記情報を複製するのに充分な、前記文書の物理的な構造を定義するステップと、
（ｃ）前記参照リンクに対応する複数の文書リンクを定義するステップと、
（ｄ）ユーザが解釈可能な機能リンクを前記各文書リンクに割り当てるステップと、
（ｅ）前記複数の文書リンクの複数のリンクを前記機能リンクの少なくとも１つの個々のリンクに割り当てることにより、いくつかのユーザが解釈可能な機能リンクを最適化するステップと、
を有することを特徴とする文書処理方法。
【請求項２】
前記物理的な構造が、少なくとも単一のページを含み、前記機能リンクが、前記単一ページ上に印刷可能な少なくとも１個の標識を含み、ステップ（ｃ）が、複数の前記文書リンクをマージして、前記ページ上の構成要素に関連する単一の前記標識を形成するステップを含むことを特徴とする請求項１に記載の文書処理方法。
【請求項３】
前記物理的な構造が、複数のページを含み、前記機能リンクが少なくとも１つの前記ページの中に形成された少なくとも１つの切欠きタブを含み、ステップ（ｅ）が、複数の前記文書リンクを、単一の前記切欠きタブに割り当てるステップを含むことを特徴とする請求項１又は２に記載の文書処理方法。
【請求項４】
少なくとも１つの前記切欠きタブが、複数の前記ページに関連する対応して配置されたタブのネストの一部として形成されることを特徴とする請求項３に記載の文書処理方法。
【請求項５】
更に、少なくとも１つの後続文書を対応する方式でフォーマットするため、テンプレート中に前記文書の構造定義を保持するステップを含むことを特徴とする請求項４に記載の文書処理方法。
【請求項６】
更に、前記文書に対するプレゼンテーション・スタイルを定義し、前記機能リンクを前記構成要素から区別するために、前記プレゼンテーション・スタイルを前記機能リンクに適用するステップを含むことを特徴とする請求項４又は５に記載の文書処理方法。
【請求項７】
更に、少なくとも１つの後続文書を前記プレゼンテーション・スタイルでフォーマットするため、テンプレート中に前記文書の前記プレゼンテーション・スタイルを保持するステップを含むことを特徴とする請求項６に記載の文書処理方法。
【請求項８】
更に、コンテンツ特有の文書リンクを定義し、対応する機能リンクを前記文書中に組み込むステップを含むことを特徴とする請求項１に記載の文書処理方法。
【請求項９】
前記コンテンツ特有の文書リンクがユーザによって定義されることを特徴とする請求項８に記載の文書処理方法。
【請求項１０】
更に、前記文書のハード・コピー複製を変化させるために、所定のスタイル・レイアウトを前記最適化された機能リンクに関連付けるステップを含むことを特徴とする請求項１に記載の文書処理方法。
【請求項１１】
前記所定のスタイル・レイアウトが、少なくともいくつかの前記最適化された機能リンクとして切欠きタブの形成を実装することを特徴とする請求項１０に記載の文書処理方法。
【請求項１２】
前記ステップ（ｅ）が、前記文書リンクに関連する所定の基準に従って前記文書リンクをグループ化するステップを含み、前記各グループに少なくとも１つの最適化された選択リンクが関連付けられていることを特徴とする請求項１に記載の文書処理方法。
【請求項１３】
前記ステップ（ｅ）が、
（ｅａ）前記文書を形成するために、前記構造中に前記情報をインポートするサブステップと、
（ｅｂ）前記最適化されたリンクを前記文書に適用するサブステップとを含むことを特徴とする請求項１又は１２に記載の文書処理方法。
【請求項１４】
複数の前記機能リンクが前記文書の異なるページをリンクしている対応する切欠きタブを含み、前記ステップ（ｅ）が、
（ｅｃ）前記文書リンクのうち、前記文書のそれぞれの共通ページ上で（ｉ）開始又は（ｉｉ）終了するリンクを識別するサブステップと、
（ｅｄ）それぞれの前記共通ページについて、ステップ（ｅｃ）で識別された対応する文書リンクを一緒にグループ化するサブステップと、
（ｅｅ）文書リンクの前記各グループに対応する切欠きタブの機能リンクを設けるサブステップとを含むことを特徴とする請求項１に記載の文書処理方法。
【請求項１５】
前記ステップ（ｅｄ）が更に、前記各グループを、
（ｉ）前記ページのうちの異なるページ上で終了する、又は（ｉｉ）前記ページのうちの異なるページ上で開始するものへの複数の文書リンクに限定するステップを含み、ステップ（ｅｅ）が、ネストされた切欠きタブの機能リンクのセットを提供するステップを含み、前記セットの各部分が対応する前記グループの１つの前記文書リンクに対応することを特徴とする請求項１４に記載の文書処理方法。
【請求項１６】
前記グループが、対応する情報の前記構成要素間の決定可能な関係に基づいて形成されることを特徴とする請求項１５に記載の文書処理方法。
【請求項１７】
非線形の参照リンクを有する線形文書を作成する文書処理装置であって、
線形文書構造とハイパーメディア文書のハイパーリンクを指定する手段と、
前記ハイパーリンクを前記線形文書のページ中に形成できる物理リンクと関連付ける手段と、
１次元ベクトルを用いて前記各物理リンクをモデル化する手段と、
１つ又は複数の前記ハイパーリンクへの前記物理リンクの割当てを最適化する手段と、
を有することを特徴とする文書処理装置。
【請求項１８】
非線形の参照リンクを有する線形文書を作成する文書処理装置であって、
線形文書構造が適用されるソース・ハイパーメディア文書中のハイパーリンクを評価する手段と、
前記ハイパーリンクを前記線形文書のページ中に形成できる物理リンクに関連付ける手段と、
１次元ベクトルを用いて前記各物理リンクをモデル化する手段と、
１つ又は複数の前記ハイパーリンクへの前記物理リンクの割当てを最適化する手段と、
を有することを特徴とする文書処理装置。
【請求項１９】
非線形参照リンクを有する線形文書を作成する文書処理装置であって、
線形文書構造が適用されるソース・ハイパーメディア文書の中のハイパーリンクを評価する手段と、
前記ハイパーリンクを前記線形文書のページ中に形成できる物理リンクと関連付ける手段と、
１次元ベクトルを用いて前記各物理リンクをモデル化する手段と、
１つ又は複数の前記ハイパーリンクへの前記物理リンクの割当てを最適化する手段と、
前記線形文書を作成するために、前記線形文書構造及び前記最適化された物理リンクを前記ハイパーメディア文書に適用する手段と、
前記線形文書を複製する手段と、
を有することを特徴とする文書処理装置。
【請求項２０】
請求項１乃至１６のいずれか１項に記載の文書処理方法を実行するための一連の命令を組み込んだコンピュータ可読媒体を組み込んだコンピュータ・プログラム製品。
【請求項２１】
ハード・コピー複製に適した文書を作成する文書処理装置であって、
少なくとも１つのソースから情報を受け取り、前記情報がその情報の構成要素間の対応する参照経路を確立する複数の参照リンクを含む第１の手段と、
前記情報を複製するのに充分な、前記情報の物理構造を定義する第２の手段と、
前記参照リンクに対応する複数の文書リンクを定義する第３の手段と、
ユーザが解釈可能な機能リンクを各文書リンクに割り当てる第４の手段と、
複数の前記文書リンクを前記機能リンクのうち少なくとも１つの個々のリンクに割り当てることにより、いくつかの前記ユーザが解釈可能な機能を最適化する第５の手段と、
を有することを特徴とする文書処理装置。
【請求項２２】
前記物理構造が、少なくとも１つの単一ページを含み、前記機能リンクが前記単一ページ上に印刷可能な少なくとも１つの標識を含み、前記第５の手段が、前記ページ上の構成要素に関連する単一の前記標識を形成するために、複数の前記文書リンクをマージする手段を含むことを特徴とする請求項２１に記載の文書処理装置。
【請求項２３】
前記物理構造が、複数のページを含み、前記機能リンクが、少なくとも１つの前記ページ中に形成された、少なくとも１つの切欠きタブを含み、前記第５の手段が、複数の前記文書リンクを単一の前記切欠きタブに割り当てる手段を含むことを特徴とする請求項２１に記載の文書処理装置。
【請求項２４】
少なくとも１つの前記切欠きタブが複数の前記ページに関連する、対応する位置にあるタブのネストの部分として形成されることを特徴とする請求項２３に記載の文書処理装置。
【請求項２５】
更に、少なくとも１つの後続文書を対応する方式でフォーマットするためにテンプレート中に前記文書の構造定義を保持する手段を含むことを特徴とする請求項２４に記載の文書処理装置。
【請求項２６】
更に、前記文書に対するプレゼンテーション・スタイルを定義する手段と、前記機能リンクを前記構成要素から区別するために、前記プレゼンテーション・スタイルを前記機能リンクに適用する手段とを含むことを特徴とする請求項２４に記載の文書処理装置。
【請求項２７】
更に、少なくとも１つの後続の文書を前記プレゼンテーション・スタイルでフォーマットするためにテンプレート中に前記文書の前記プレゼンテーション・スタイルを保持する手段を含むことを特徴とする請求項２１に記載の文書処理装置。
【請求項２８】
更に、コンテンツ特有の文書リンクを定義する手段と、対応する機能リンクを前記文書中に組み込む手段とを含むことを特徴とする請求項２１に記載の文書処理装置。
【請求項２９】
前記コンテンツ特有の文書リンクをユーザが定義することを特徴とする請求項２８に記載の文書処理装置。
【請求項３０】
更に、前記文書のハード・コピーの複製を変更するために、所定のスタイル・レイアウトを前記最適化された機能リンクに関連付ける手段を含むことを特徴とする請求項２１に記載の文書処理装置。
【請求項３１】
前記所定のスタイル・レイアウトが、少なくともいくつかの前記最適化された機能リンクとして切欠きタブの形成を実装することを特徴とする請求項３０に記載の文書処理装置。
【請求項３２】
前記第５の手段が、前記文書リンクに関連する所定の基準に従って前記文書リンクをグループ化するステップを含み、前記各グループが少なくとも１つの対応する最適化された機能リンクが関連付けられていることを特徴とする請求項２１に記載の文書処理装置。
【請求項３３】
前記第５の手段が、前記文書を形成するために前記情報を前記構造中へインポートする手段と、前記最適化されたリンクを前記文書に適用する手段とを含むことを特徴とする請求項２１に記載の文書処理装置。
【請求項３４】
複数の前記機能リンクが前記文書の異なるページをリンクする対応する切欠きタブを含み、第５の手段が、
前記文書リンクのうち、前記文書のそれぞれの共通ページ上で（ｉ）開始する、又は（ｉｉ）終了するリンクを識別する手段と、
前記各共通ページについて、識別された対応する文書リンクを一緒にグループ化する手段と、
文書リンクの前記各グループに対応する切欠きタブの機能リンクを提供する手段とを含むことを特徴とする請求項２１に記載の文書処理装置。
【請求項３５】
更に、前記各グループを、（ｉ）前記ページの異なるページ上で終了する、又は（ｉｉ）前記ページの異なるページ上で開始するものへの複数の文書リンクに限定する手段と、ネストされた切欠きタブの機能リンクのセットを提供する手段を含み、前記セットの各メンバーが、対応する前記グループの１つの前記文書リンクに対応することを特徴とする請求項３４に記載の文書処理装置。